(57)【要約】【課題】遮断弁における駆動回路の健全性を確認できるガス遮断装置を提供すること目的とする。【解決手段】流量検出回路４から送られる流量信号を受取ると時間を計測し所定時間以上であれば長期ガス不使用と判定するタイマ部６を有するとともに、長期ガス不使用時に遮断回路３に遮断信号を出力するマイクロコンピューター７を備えている。これによって、遮断回路３と遮断弁２を駆動し、ガス通路を閉栓することで遮断回路３と遮断弁２の健全性を確認することができる。【選択図】図１
2006132795.tif 000002
【特許請求の範囲】
【請求項１】
制御電源である電池と、ガス流路内に設けられた遮断弁と、前記遮断弁を駆動する遮断回路と、ガスの流量を検出する流量検出回路と、警報等を表示する表示部と、前記流量検出回路から送られる流量信号を受取ると時間を計測し所定時間以上であれば長期ガス不使用と判定するタイマ部を有するとともに、長期ガス不使用時やガスの異常流量などを判断して前記遮断回路に遮断信号を出力し、かつ長期ガス不使用時に前記遮断回路に遮断信号が出力されたにもかかわらず前記流量信号が入力されると表示部へ警報信号を出力するマイクロコンピューターとを具備したガス遮断装置。
【請求項２】
タイマ部は長期ガス不使用と判定する所定時間を任意に変更できるようにした請求項１記載のガス遮断装置。
【発明の詳細な説明】
【技術分野】
【０００１】
本発明は、ガス使用上の安全を図るガス遮断装置に関するものである。
【背景技術】
【０００２】
従来この種のガス遮断装置は、図２に示すように、制御電源となるリチウム電池などの電池１１と、ガス流路内に設けられた遮断弁１２と、前記遮断弁１２を駆動する遮断回路１３と、ガスの流量を検出するリードスイッチと抵抗などを用いた流量検出回路１４と、ガスの流量異常などを判断して緊急時などに前記遮断回路１３に遮断信号を出力するマイクロコンピューター１６などで構成している（例えば、特許文献１参照）。
【特許文献１】特開平９−２５７２４７号公報
【発明の開示】
【発明が解決しようとする課題】
【０００３】
しかしながら、上記従来のガス遮断装置では、遮断回路１３の健全性を確認できず、同遮断回路１３が故障した場合に遮断弁１２を駆動しガス流路を閉栓できなくなるなどの課題を有していた。
【０００４】
本発明はこのような従来の課題を解消するもので、信頼性の高いガス遮断装置を提供することを目的とするものである。
【課題を解決するための手段】
【０００５】
本発明は上記目的を達成するために、制御電源である電池と、ガス流路内に設けられた遮断弁と、前記遮断弁を駆動する遮断回路と、ガスの流量を検出する流量検出回路と、警報などを表示する表示部と、前記流量検出回路から送られる流量信号を受取ると時間を計測し、所定時間以上であれば長期ガス不使用と判定するタイマ部を有し、長期ガス不使用時やガスの異常流量などを判断して前記遮断回路に遮断信号を出力するようにし、加えて長期ガス不使用時に前記遮断回路に遮断信号が出力されたにもかかわらず前記流量信号が入力されると表示部へ警報信号を出力するマイクロコンピューターを設けたものである。
【０００６】
上記によれば、長期間ガスを使用していない時に遮断回路と遮断弁を駆動しガス通路を閉栓することで遮断回路と遮断弁の健全性を確認することができる。また、実際にはガスを使用しているにもかかわらず流量検出回路の異常で長期ガス不使用と判断した場合遮断回路と遮断弁を駆動し、ガス通路を閉栓することで流量検出回路の異常時を検出することができる。且つ、長期不在者宅のガス遮断装置以降のガス漏れ等を防止することができる。
【０００７】
そして、長期ガス不使用と判定する所定時間を任意に変更できる前記タイマ部を有した前記マイクロコンピューターを設けたものである。
【０００８】
上記によれば、ガス消費者のガス使用状況に対応することができる。
【発明の効果】
【０００９】
本発明のガス遮断装置は、長期間ガスを使用していない時に遮断回路と遮断弁を駆動しガス通路を閉栓することで遮断回路と遮断弁の健全性を確認することができ、また、実際にはガスを使用しているにもかかわらず流量検出回路の異常で長期ガス不使用と判断した場合遮断回路と遮断弁を駆動し、ガス通路を閉栓することで流量検出回路の異常時を検出することができ、さらに、長期不在者宅のガス遮断装置以降のガス漏れなどを防止することで、ガス使用上の安全性を確保することができる。
【発明を実施するための最良の形態】
【００１０】
第１の発明は、制御電源である電池と、ガス流路内に設けられた遮断弁と、前記遮断弁を駆動する遮断回路と、ガスの流量を検出する流量検出回路と、警報などを表示する表示部と、前記流量検出回路から送られる流量信号を受取ると時間を計測し、所定時間以上であれば長期ガス不使用と判定するタイマ部とを具備し、長期ガス不使用時やガスの異常流量などを判断して前記遮断回路に遮断信号を出力し、且つ長期ガス不使用時に前記遮断回路に遮断信号が出力されたにもかかわらず前記流量信号が入力されると表示部へ警報信号を出力するマイクロコンピューターを設けたものである。
【００１１】
上記によれば、長期間ガスを使用していない時に遮断回路と遮断弁を駆動しガス通路を閉栓することで遮断回路と遮断弁の健全性を確認することができる。また、実際にはガスを使用しているにもかかわらず流量検出回路の異常で長期ガス不使用と判断した場合遮断回路と遮断弁を駆動し、ガス通路を閉栓することで流量検出回路の異常時を検出することができる。さらに、長期不在者宅のガス遮断装置以降のガス漏れ等を防止することができる。
【００１２】
第２の発明は、特に、第１の発明のマイクロコンピューターに長期ガス不使用と判定する所定時間を任意に変更できる前記タイマ部を設け、ガス消費者のガス使用状況に対応することができるようにしたものである。
【００１３】
（実施の形態１）
図１において、制御電源となるリチウム電池などの電池１と、ガス流路内に設けられた遮断弁２と、前記遮断弁２を駆動する遮断回路３と、ガスの流量を検出するリードスイッチと抵抗などを用いた流量検出回路４と、警報などを表示するＬＥＤを用いた表示部５と、前記流量検出回路４から送られる流量信号を受取ると時間を計測し、例えば３０日間等の所定時間以上であれば長期ガス不使用と判定するタイマ部６を有し、かつ長期ガス不使用時やガスの異常流量などを判断して前記遮断回路２に遮断信号を出力し、さらに、長期ガス不使用時に前記遮断回路３に遮断信号が出力されたにもかかわらず前記流量信号が入力されると表示部５へ警報信号を出力するマイクロコンピューター７とで構成している。
【００１４】
したがって、長期間ガスを使用していない時に遮断回路３と遮断弁２を駆動し、ガス通路を閉栓することで遮断回路３と遮断弁２の健全性を確認することができる。また、実際にはガスを使用しているにもかかわらず流量検出回路４の異常で長期ガス不使用と判断した場合も遮断回路３と遮断弁２を駆動し、ガス通路を閉栓することで流量検出回路４の異常を検出することができる。
【００１５】
（実施の形態２）
実施の形態１と異なる点は、前記マイクロコンピューター７に長期ガス不使用と判定する所定時間を所定の設定器や電話回線を用いた通信設定によって任意に変更できる前記タイマ部６を設けたものである。これにより、ガス消費者のガス使用状況に対応することができる。
【産業上の利用可能性】
【００１６】
以上のように、本発明にかかるガス遮断装置は、長期間ガスを使用していない時に遮断回路と遮断弁を駆動しガス通路を閉栓するため、ガス給湯器やガス調理器などの用途にも適用できる。
【図面の簡単な説明】
【００１７】
【図１】本発明の実施の形態１を示すガス遮断装置のブロック図
【図２】従来のガス遮断装置のブロック図
【符号の説明】
【００１８】
１  電池
２  遮断弁
３  遮断動回路
４  流量検出回路
５  表示部
６  タイマ部
７  マイクロコンピューター
【図１】
2006132795.tif 000003
【図２】
2006132795.tif 000004